(57)【要約】【課題】アライメント視標像の視認性を向上させ、効率のよいアライメント作業が可能となる眼底撮像装置を提供する。【解決手段】第１の赤外光で照射された眼底が眼底とほぼ共役な位置に配置された視野絞り３３を介して赤外ＣＣＤ３２により撮像され、モニタで観察される。第２の赤外光で照射された被検眼角膜からのワーキングディスタンス視標６３ａ、６４ａの視標像が、第１の赤外光を遮断し第２の赤外光を透過させる波長特性を有する撮影絞り３３の外部領域を透過してモニタに表示され、その視標像に基づき被検眼と装置本体との位置合わせが行われる。このような構成では、眼底像の赤外光と、視標像の赤外光の波長帯域が異なるので、視標像にコントラストがでて、アライメントの調整が容易となる。【選択図】図５
2008043570.tif 000002
【特許請求の範囲】
【請求項１】
第１の赤外光で照射された被検眼眼底を眼底とほぼ共役な位置に配置された視野絞りを介して撮像する第１の撮像手段と、
前記撮像された被検眼眼底を観察する観察手段と、
第２の赤外光で照射された被検眼角膜からの前記視野絞りを介した反射像に基づき被検眼と装置本体との位置合わせを行う位置合わせ手段と、
可視光で照射された被検眼眼底を静止画として撮像する第２の撮像手段とを備え、
前記視野絞りが、第１の赤外光を遮断し第２の赤外光を透過させる波長特性を有する領域を有していることを特徴とする眼底撮像装置。
【請求項２】
前記第１と第２の撮像手段は、波長透過特性をもつ光路分割手段で分割された光路上に配置されることを特徴とする請求項１に記載の眼底撮像装置。
【請求項３】
第１の赤外光で照射された被検眼眼底を眼底とほぼ共役な位置に配置された光学フィルタを介して撮像する第１の撮像手段と、
前記撮像された被検眼眼底を観察する観察手段と、
第２の赤外光で照射された被検眼角膜からの前記光学フィルタを介した反射像に基づき被検眼と装置本体との位置合わせを行う位置合わせ手段と、
可視光で照射された被検眼眼底を、前記光学フィルタと切り替えられる視野絞りを介して静止画として撮像する第２の撮像手段とを備え、
前記光学フィルタが、第１の赤外光を透過させる波長特性を有する中心領域と、その中心領域外部に形成された、第１の赤外光を遮断し第２の赤外光を透過させる波長特性を有する領域とを有していることを特徴とする眼底撮像装置。
【請求項４】
前記第１の撮像手段での結像倍率は、第２の撮像手段での結像倍率より低倍率であることを特徴とする請求項１から３のいずれか１項に記載の眼底撮像装置。
【請求項５】
被検眼眼底は、第２の撮像手段により複数の結像倍率で撮像されることを特徴とする請求項１から４のいずれか１項に記載の眼底撮像装置。
【請求項６】
第２の撮像手段における結像倍率に従って、静止画撮影範囲が観察手段に表示されることを特徴とする請求項５に記載の眼底撮像装置。
【請求項７】
第１の赤外光で照射された被検眼眼底を撮像する撮像手段と、
前記撮像された被検眼眼底を観察する観察手段と、
第２の赤外光で照射された被検眼角膜からの反射像に基づき被検眼と装置本体との位置合わせを行う位置合わせ手段と、
前記撮像手段からの画像に対してマスキング処理する画像処理装置とを備え、
前記画像処理装置は、眼底観察時には、画像中心領域外部での撮像手段からの赤外光による画像信号に対するマスキングが画像中心領域よりも強くなるように、マスキング処理を行うことを特徴とする眼底撮像装置。
【請求項８】
前記画像処理装置は、眼底を静止画として撮像するときは、画像中心領域外部での可視色の信号がほぼなくなるように、マスキング処理を行うことを特徴とする請求項７に記載の眼底撮像装置。
【請求項９】
前記眼底像が観察される場合は、静止画として撮影される場合よりも低倍率であることを特徴とする請求項７又は８に記載の眼底撮像装置。
【発明の詳細な説明】
【技術分野】
【０００１】
本発明は、眼底撮像装置、更に詳細には、眼底アライメントを行って被検眼との位置合わせを行い眼底を撮像する眼底撮像装置に関する。
【背景技術】
【０００２】
従来から、赤外光からなるワーキングディスタンス視標（以下ＷＤ視標という）を被検眼角膜に照射し、そのＷＤ視標の角膜反射像を観察して、２つの角膜反射像の中心が眼底像のほぼ中心に来るように、被検眼と眼底カメラの位置合わせを行い、ワーキングディスタンスを適正に調節している。このとき、角膜反射像が観察できる範囲が広いほど、位置合わせが容易となるので、眼底と共役な位置に配置される視野絞りの開口周辺部に角膜反射像が通過できる切り欠け部あるいは赤外光を透過できる周辺領域をを設け、角膜反射像の観察できる領域を広くしてワーキングディスタンスの調整を行うようにした眼底カメラが知られている（特許文献１）。
【特許文献１】特開２０００−２８７９３６号公報
【発明の開示】
【発明が解決しようとする課題】
【０００３】
しかしながら、特許文献１に記載されているような方法では、眼底が照射される赤外光と、ＷＤ視標の赤外光は、同一波長帯域にあるために、ＷＤ視標像が眼底像に対してコントラストがなく、ＷＤ視標像の観察が困難となり、アライメント作業の効率が悪くなる、という問題があった。
【０００４】
本発明は、このような問題点を解決するためになされたもので、ＷＤ視標像の視認性を向上させ、効率のよいアライメント作業が可能となる眼底撮像装置を提供することを課題とする。
【課題を解決するための手段】
【０００５】
本発明（請求項１）は、
第１の赤外光で照射された被検眼眼底を眼底とほぼ共役な位置に配置された視野絞りを介して撮像する第１の撮像手段と、
前記撮像された被検眼眼底を観察する観察手段と、
第２の赤外光で照射された被検眼角膜からの前記視野絞りを介した反射像に基づき被検眼と装置本体との位置合わせを行う位置合わせ手段と、
可視光で照射された被検眼眼底を静止画として撮像する第２の撮像手段とを備え、
前記視野絞りが、第１の赤外光を遮断し第２の赤外光を透過させる波長特性を有する領域を有していることを特徴とする。
【０００６】
また、本発明（請求項３）は、
第１の赤外光で照射された被検眼眼底を眼底とほぼ共役な位置に配置された光学フィルタを介して撮像する第１の撮像手段と、
前記撮像された被検眼眼底を観察する観察手段と、
第２の赤外光で照射された被検眼角膜からの前記光学フィルタを介した反射像に基づき被検眼と装置本体との位置合わせを行う位置合わせ手段と、
可視光で照射された被検眼眼底を、前記光学フィルタと切り替えられる視野絞りを介して静止画として撮像する第２の撮像手段とを備え、
前記光学フィルタが、第１の赤外光を透過させる波長特性を有する中心領域と、その中心領域外部に形成された、第１の赤外光を遮断し第２の赤外光を透過させる波長特性を有する領域とを有していることを特徴とする。
【０００７】
また、本発明（請求項７）は、
第１の赤外光で照射された被検眼眼底を撮像する撮像手段と、
前記撮像された被検眼眼底を観察する観察手段と、
第２の赤外光で照射された被検眼角膜からの反射像に基づき被検眼と装置本体との位置合わせを行う位置合わせ手段と、
前記撮像手段からの画像に対してマスキング処理する画像処理装置とを備え、
前記画像処理装置は、眼底観察時には、画像中心領域外部での撮像手段からの赤外光による画像信号に対するマスキングが画像中心領域よりも強くなるように、マスキング処理を行うことを特徴とする。
【発明の効果】
【０００８】
本発明では、眼底を観察するために眼底を照射する赤外光と、アライメント視標としてのＷＤ視標を形成する赤外光を異なるようにしているので、ＷＤ視標像にコントラストがでてその視認性が向上しＷＤ視標の観察が容易となる。また、ＷＤ視標の見える範囲が広くなるので、アライメント未調整でもＷＤ視標を容易に見つけることができるので、効率的なアライメント作業が可能となる。
【発明を実施するための最良の形態】
【０００９】
以下、実施例に基づき本発明を詳細に説明する。
【実施例１】
【００１０】
図１において、眼底撮像装置としての眼底カメラには、眼底を照明する照明光学系と、照明された眼底を撮影、観察する撮影光学系が設けられている。照明光学系には、図２に示したように約８５０ｎｍを中心に±１５ｎｍの波長帯域１２ａで発光する赤外ＬＥＤ（発光ダイオード）１２からなる照明光源１２が配置され、この照明光源１２からの赤外光が、ストロボ１４を通過して、被検眼１の前眼部（瞳）１ｂと共役な位置に配置されたリングスリット１５を照明する。このリングスリット１５からの照明光は、ハーフミラー１６、対物レンズ２２の反射を除去するための黒点板１７、リレーレンズ１８を通過し、中心に穴の開いた穴あき全反射ミラー２０で反射されてから対物レンズ２２を経て、被検眼１の前眼部１ｂより眼底１ａに入射し、眼底１ａを赤外光（第１の赤外光）で照明する。
【００１１】
眼底１ａからの反射光は、対物レンズ２２を介して受光され、穴あき全反射ミラー２０の穴を通過して撮影絞り２３、フォーカスレンズ２４、結像レンズ２５を通過して、視野絞り３３を介して光路分割手段としての赤外透過可視反射ミラー２６に入射する。対物レンズ２２、フォーカスレンズ２４、結像レンズ２５などは、撮影光学系を構成しており、視野絞り３３の撮影光軸２７における位置は眼底とほぼ共役な位置となっている。
【００１２】
なお、図１には眼底とその眼底共役位置がＲで、また瞳とその瞳共役位置がＰで図示されている。
【００１３】
視野絞り３３は、図４に示すように、中央に円形の空洞となった開口３３ｃを備えた矩形の形状をしており、視野絞りの外部周辺領域３３ａはすべての光を完全に遮光する遮光部となっていて、外部周辺領域３３ａの内部に開口３３ｃに隣接して開口３３ｃを取り囲む矩形の中間領域３３ｂが形成されている。領域３３ｂは、図２で濃い点線で示したように、９００ｎｍまでの光線をほぼ遮光し、９００ｎｍから１０００ｎｍの赤外線を透過させる波長帯域特性を持っている。視野絞り３３の周辺領域３３ａ、中間領域３３ｂ並びに開口３３ｃの中心は、それぞれ撮影光学系の撮影光軸２７に一致している。なお、図４で一点鎖線で示した区画３３ｄが、後述するモニタ７０で表示される領域である。
【００１４】
また、図１において、ワーキングディスタンスを調節するために、ＷＤ指標用光源６１、レンズ６２からなるＷＤ指標ユニット６０が設けられ、そのＷＤ指標光源６１は、図２に示すように、約９５０ｎｍを中心に±１５ｎｍの波長帯域６１ａで赤外光（第２の赤外光）を発光する赤外ＬＥＤからなり、その光源６１からの赤外光はレンズ６２、光ファイバー６３を介して撮影絞り２３の近辺に導かれ、その端面によりＷＤ指標６３ａが形成される。
【００１５】
図１の上部に図示されたＷＤ指標ユニット６０の上から見た構成から明らかなように、ＷＤ指標ユニット６０からは光ファイバー６３と同様なもう一つの光ファイバー６４が撮影絞り２３の近辺に導かれており、その端面により他のＷＤ指標６４ａが形成される。被検眼１と対物レンズ２２が所定距離となるように位置合わせてされたとき、いわゆるワーキングディスタンスが適正な場合には、このＷＤ指標６３ａ、６４ａは、いずれも対物レンズ２２により被検眼１の角膜に投影されて被検眼の角膜で正反射され、その反射光がほぼアフォーカルになるように、その位置が設定される。
【００１６】
赤外光の眼底像は、視野絞り３３の開口３３ｃを通過し、赤外透過可視反射ミラー２６を透過して反射ミラー２９、３０で反射された後、結像レンズ３１により、図２で一点鎖線で示したような赤外に感度を有する観察用の撮像手段（第１の撮像手段）としての赤外ＣＣＤ３２の撮像面に結像される。そして、赤外ＣＣＤ３２で撮像された眼底像は、モニタ（観察手段）７０に表示されて検者により観察される。図３には、モニタ７０に表示される視野絞り３３の像が図示されており、中央の円形領域５５に撮像された眼底像が表示される。６３ａ、６４ａは、ワーキングディスタンスが適正な場合にモニタ７０に表示されるＷＤ指標像を示している。
【００１７】
一方、赤外透過可視反射ミラー２６で反射された可視光の眼底像は、反射ミラー３４で反射された後、変倍レンズ３５あるいは３５’を介して、図２にＲＧＢで示したような可視光に感度を有する撮像手段（第２の撮像手段）としての可視ＣＣＤ３６の撮像面に再結像される。この可視ＣＣＤ３６は眼底の静止画を撮影するために使用される。変倍レンズに狭角のレンズが使用された場合には、図４で点線３３ｅで示した領域（図３において５４で示した範囲）の眼底像が撮像され、一方、広角の変倍レンズを用いた場合には、図４の領域３３ｄ内の範囲の眼底像が撮影される。これらの狭角あるいは広角で撮影されるときの範囲は、いずれもモニタ７０に表示されるものとする。
【００１８】
また、眼底カメラには、眼底にピントを合わせるためのフォーカス指標投影光学系が設けられる。この投影光学系において、図２に示したように、ＷＤ指標光源６１と同様な、約９５０ｎｍを中心に±１５ｎｍの波長帯域６１ａで赤外光を発光する赤外ＬＥＤからなるフォーカス指標光源４０が設けられる。この指標光源４０からの赤外光は、プリズム４１を介して眼底共役位置に配置されたフォーカス指標４２に入射し、フォーカス指標はフォーカスレンズ２４と連動して移動するレンズ４３を介してハーフミラー１６で反射された後、被検眼１の眼底１ａにフォーカスドットとして投影される。眼底でピントが合う場合には、フォーカスドットが一点になるように、またピントがずれている場合には、分離するようになっており、検者は、フォーカスレンズ２４を移動させフォーカス調整すると、それに連動してレンズ４３の位置が移動し、フォーカスドットの分離状態が変化するので、眼底の指標投影像を観察することにより、眼底にピントを合わせることができる。
【００１９】
このような構成において、照明光源１２が点灯され、被検眼眼底が波長帯域１２ａを有する第１の赤外光で照明される。被検眼と装置本体を位置合わせしてワーキングディスタンスを適正なものとするためにアライメントを行う。そのために、ＷＤ指標用光源６１が点灯され、波長帯域６１ａの第２の赤外光のＷＤ指標６３ａ、６４ａが対物レンズ２２を介して被検眼１の前眼部１ｂに投影される。
【００２０】
被検眼眼底からの反射光は、視野絞り３３の開口３３ｃを通過して赤外ＣＣＤ３２で撮像される。図５（ａ）には、赤外ＣＣＤ３２に撮像される像が図示されており、図４で示した領域３３ｂと開口３３ｃを含む範囲の像が赤外ＣＣＤ３２に受像される。第１の赤外光の眼底像は、領域３３ｂでほぼ遮光されるために、赤外ＣＣＤ３２には、図５（ａ）に示したように、視野絞り３３の開口３３ｃに対応する眼底像が撮像される。
【００２１】
このとき、ワーキングディスタンスが不適正であると、ＷＤ指標６３ａ、６４ａの角膜反射像はモニタ７０に表示されないので、検者はアライメントを行う。アライメントに従って、例えば一方のＷＤ指標６４ａの像が視野絞り３３の領域３３ｂにかかると、領域３３ｂは第２の赤外光を透過させるので、赤外ＣＣＤ３２には、ＷＤ指標６４ａが受像される。このとき、不図示の制御部により、図５（ｂ）に示したように、モニタ７０には装置を移動すべき方向を示す矢印が表示される。そこで、検者はジョイスティック（不図示）などで装置本体を移動させて、図５（ｃ）、（ｄ）に示した状態にアライメントを調整する。図５（ｃ）は、ＷＤ指標６４ａが、視野絞り３３の開口３３ｃを通過し、ＷＤ指標６３ａが領域３３ｂを透過したときのモニタ像であり、図５（ｄ）は、両指標６３ａ、６４ａが開口３３ｃを通過するときのモニタ像であり、ワーキングディスタンスが適正になったときの状態である。
【００２２】
このように、ワーキングディスタンス調整時に、ＷＤ指標は視野絞りの領域３３ｂを透過してモニタ７０に表示されるので、眼底の観察ないし撮影範囲よりも広い範囲でＷＤ指標の観察が可能となり、ワーキングディスタンスの調整が容易となる。また、ＷＤ視標像の赤外光の波長帯域は、眼底像の赤外光の波長帯域と異なるので、ＷＤ視標像の眼底像に対するコントラストが高くなり、ＷＤ視標の視認が容易になる。
【００２３】
アライメント調整が終了すると、検者はフォーカス指標４２の眼底像に基づき眼底にピントを合わせる。そして、シャッタボタン（不図示）を操作すると、ストロボ１４が発光し、可視光で照明された眼底が可視ＣＣＤ３６により静止画として撮像される。このとき、変倍レンズに狭角のレンズが使用された場合には、図４で点線３３ｅで示した領域内の眼底像が撮像され、一方、広角の変倍レンズを用いた場合には、図４の領域３３ｄ内の範囲の眼底像が撮影される。
【００２４】
図６には、視野絞りの他の例が符号７３を付して図示されており、この視野絞り７３のうち、第２の赤外光のＷＤ指標６３ａ、６４ａのみを透過させる領域７３ｂ、７３ｃは、撮像手段側から視野絞り７３を見て、その開口７３ｄの径方向に対向して開口７３ｄに隣接して左右の位置に切欠部として設けられる。これらの領域７３ｂ、７３ｃ並びに開口７３ｄを除く他の部分７３ａはすべての光を遮光する領域となっている。７３ｅは、モニタに表示される領域で、図６（ｂ）に図示したように、ワーキングディスタンスが適正な場合には、モニタ７０には、切欠部７３ｂ、７３ｃに対応する部分にＷＤ指標６３ａ、６４ａが現れるようになる。
【実施例２】
【００２５】
図７には、眼底像を赤外ＣＣＤ３２への光路と可視ＣＣＤ３６への光路に分割する赤外透過可視反射ミラー２６の代わりに、光路切替手段としてのリターンミラー４５を用いて、両光路を切り替える実施例が図示されている。この実施例で、実施例１と同様な部分には同じ符号が付されており、その機能の詳細な説明は省略する。
【００２６】
実施例２では、実施例１の視野絞り３３の代わりに、視野絞り７５が眼底共役位置に配置され、その視野絞りに光学フィルタ７６が取り付けられる。光学フィルタ７６は、図８に示したように、すべての光を遮光する帯状の外部周辺領域７６ａと、円形の中心領域７６ｃと、中心領域７６ｃと外部周辺領域７６ａ間の中間領域７６ｂを有している。中心領域７６ｃは、図２に示したように、約８００ｎｍから９００ｎｍの帯域で透過特性を有し、照明光源１２からの波長帯域１２ａの赤外光を透過させ、また、領域７６ｂは、図２に示したように、実施例１の視野絞り３３の領域３３ｂと同様な波長透過特性を有しており、ＷＤ視標像を透過させ、モニタ７０に表示される範囲を形成している。光学フィルタ７６の領域７６ａ、７６ｂ、並びに７６ｃは、その中心がいずれも撮影光軸２７と一致しており、その機能は、実施例１の視野絞り３３の領域３３ａ、３３ｂ並びに開口３３ｃに対応してる。
【００２７】
視野絞り７５は、光学フィルタ７６の外部周辺領域７６ａとほぼ同じ大きさの領域を有し、その内部領域は空洞な開口となっている。視野絞り７５により光学フィルタ７６の外部周辺領域７６ａの機能を持たせれば、その領域７６ａは、領域７６ｂと同様な波長特性とすることができ、一方、図８のような光学フィルタ７６を用いる場合には、視野絞り７５を省略することもできる。
【００２８】
なお、図８において、符号７８は狭角の変倍レンズを用いたときの眼底の撮影範囲を、また符合７９は広角の変倍レンズを用いたときの撮影範囲を示しており、いずれもモニタ７０に表示されるものである。
【００２９】
リターンミラー４５によって光路が可視ＣＣＤ３６側に切り替えられた場合には、視野絞り７５と光学フィルタ７６が光路から離脱し、それに代わり撮影用視野絞り７７が光路に挿入される。撮影用視野絞り７７は、図９に示したように、すべての光を完全に遮光する遮光部７７ａと空洞となった開口７７ｂを有し、開口７７ｂの大きさは、図８の７９で示した広角撮影時の大きさに対応している。
【００３０】
このような構成で、アライメントやフォーカス調整など眼底観察が行われるときには、視野絞り７５、光学フィルタ７６、リターンミラー４５が光路に挿入される。照明光源１２で第１の赤外光により照明された眼底は、視野絞り７５の開口、光学フィルタ７６の中心領域７６ｃを透過して赤外ＣＣＤ３２により撮像され、モニタ７０に表示される。
【００３１】
ＷＤ指標６３ａ、６４ａは、第２の赤外光の波長帯域を有するので、視野絞り７５の開口と光学フィルタ７６の領域７６ｂを透過し、これらのＷＤ指標の像に基づき、図５に関連して説明したのと同様にしてワーキングディスタンスが適正となるようにアライメントが行われる。フォーカス指標４２も同様に視野絞り７５の開口、光学フィルタ７６の中心領域７６ｃを透過して赤外ＣＣＤ３２により受像されるので、検者は、実施例１と同様にフォーカス調整を行うことができる。
【００３２】
アライメント並びにフォーカス調整が終了すると、シャッタボタン（不図示）が操作され、それにより、図７の下方に図示されたように、リターンミラー４５が光路から離脱するとともに、視野絞り７５と光学フィルタ７６が光路から離脱し、それに代わり撮影用視野絞り７７が光路に挿入される。続いて、ストロボ１４が発光し、眼底が可視ＣＣＤ３６により静止画として撮像される。このとき、狭角の変倍レンズが使用された場合には、図８で領域７８内の眼底像が撮像され、一方、広角の変倍レンズを用いた場合には、領域７９内の眼底像が撮影される。
【００３３】
この実施例２においても、実施例１と同様な効果を得ることができる。
【実施例３】
【００３４】
図１０には、眼底撮像装置の他の実施例が図示されており、この実施例では、電子マスクが生成され、この電子マスクにより撮像手段からの画像信号に対してマスキング処理が行われる。この実施例で、実施例１、２と同様な部分には同じ符号が付されており、その機能の詳細な説明は省略する。
【００３５】
図１０において、赤外ＣＣＤ３２により撮像される画像が画像処理部８１と電子マスク生成部８２を備えた画像処理装置８０に入力される。電子マスク生成部８２から生成される電子マスクにより赤外ＣＣＤ３２からのＲ，Ｇ、Ｂ信号がマスキング処理されてＲ’、Ｇ’、Ｂ’信号に変換され、マスキング処理された画像が、スイッチ８３を介してモニタ７０あるいはメモリ９１に入力される。
【００３６】
電子マスク生成部８２は、スイッチ８４が図示位置にあると、図１１（ａ）、（ｂ）に示されたような電子マスク８６を生成する。電子マスク８６は、眼底観察時に生成されるマスクで、図１１（ａ）、（ｂ）に示されたように、第１と第２のマスク部８６ａと８６ｂを有し、第２のマスク部８６ｂは眼底を観察可能にする円形の中心領域に生成され、第１のマスク部８６ａは第２のマスク部８６ｂの外部を取り囲む領域に生成される。
【００３７】
第１のマスク部８６ａは、赤外ＣＣＤ３２からの画像のＲ、Ｇ、Ｂ信号のうちＲ信号、つまり赤外光による画像信号の約９０％をマスキングし、Ｇ，Ｂ信号のすべてをほぼマスキングするように構成されており、第２のマスク部８６ｂは、Ｒ信号に対するマスキングは行わず、Ｇ、Ｂ信号に対してはほぼマスキングするように構成されている。
【００３８】
一方、スイッチ８４が点線位置に切り換えられると、電子マスク生成部８２は、眼底撮影のために、図１１（ｃ）に示したような電子マスク８７を生成する。電子マスク８７は、その中心領域８７ｂでは赤外ＣＣＤ３２のＲ、Ｇ、Ｂ信号に対してマスキングは行わず、外部領域８７ａでは、Ｒ、Ｇ、Ｂ信号のすべて、つまり可視光成分をほぼマスキングするように構成されている。
【００３９】
このような構成において、眼底観察時には、スイッチ８３、８４は図示した位置にあり、赤外ＣＣＤ３２からのＲ、Ｇ、Ｂ信号が画像処理部８１に入力される。電子マスク生成部８２では、図１１（ａ）、（ｂ）に図示されたような電子マスク８６が生成される。この電子マスク８６により画像中心領域の外部では、Ｒ信号に対して約９０％がマスキングされ、強いマスキング処理が行われ、それに対して画像中心領域では、Ｒ信号に対してマスキングが行われないので、第１のマスク部８６ａに対応する部分では赤外光による眼底像は殆ど見えなくなり、またＷＤ視標６４ａの像が暗い輝点となって現れる。一方、第２のマスク部８６ｂに対応する部分では、Ｒ信号に対してマスキングが行われないので、眼底像並びにＷＤ視標６３ａの像が明るい像となって現れる。
【００４０】
そこで、検者はモニタ７０で眼底像並びにＷＤ視標６３ａ、６４ａの像を観察して、図１１（ｂ）に示すように、両視標像が明るい輝点として眼底像とともに観察されるように、アライメントを行う。なお、このとき、変倍レンズは撮影時の変倍レンズより広角のものを用いるようにして、広い範囲の眼底像を観察できるようにしておく。
【００４１】
そのあとフォーカス調整が終了すると、シャッタボタンを操作する。このとき、スイッチ８３並びに８４が点線位置に切り替わり、それにより電子生成部８２において、図１１（ｃ）に図示したような電子マスク８７が生成され、赤外ＣＣＤ３２により観察された眼底像が電子マスク８７でマスキングされて静止画としてメモリ９１に格納される。このメモリ９１に格納された眼底像は、キーボード９３を備えたコンピュータ（ＰＣ）９０によりハードディスク９２の外部記憶装置に保存されたり、あるいはモニタ９４に表示されたりする。
【００４２】
このように、実施例３においても、実施例１と２に関連して述べたのと同様な効果を得ることができる。
【００４３】
なお、この実施例においても、観察時にモニタ７０に撮影される眼底像の範囲を表示させることもできる。その場合には、撮影範囲に対応する電子マスク８６の部分で、Ｒ、Ｂ、Ｇ信号のすべてをマスキングするようにして、モニタ７０に撮影範囲が黒で表示されるようにしておく。
【図面の簡単な説明】
【００４４】
【図１】本発明の眼底撮像装置の全体の構成を示す光学図である。
【図２】撮影絞り、光学フィルタの分光特性並びに可視及び赤外ＣＣＤの分光感度特性を示した線図である。
【図３】眼底観察時のモニタ画面を示す画面図である。
【図４】視野絞りの構成を示す構成図である。
【図５】アライメント調整の流れを示す説明図である。
【図６】視野絞りの他の構成例を示す構成図である。
【図７】本発明の眼底撮像装置の他の実施例を示す光学図である。
【図８】図７実施例の光学フィルタの構成を示す構成図である。
【図９】図７実施例の撮影用視野絞りの構成を示す構成図である。
【図１０】本発明の眼底撮像装置の更に他の実施例を示す光学図である。
【図１１】図１０実施例の電子マスクの機能を説明する説明図である。
【符号の説明】
【００４５】
１２  照明光源
２５  結像レンズ
２６  赤外透過可視反射ミラー
３２  赤外ＣＣＤ
３３  視野絞り
３６  可視ＣＣＤ
４０  フォーカス指標光源
６０  ＷＤ視標ユニット
６３ａ、６４ａ  ＷＤ視標
７０  モニタ
７５  視野絞り
７６  光学フィルタ
７７  撮影用視野絞り
８６、８７  電子マスク
【図１】
2008043570.tif 000003
【図２】
2008043570.tif 000004
【図３】
2008043570.tif 000005
【図４】
2008043570.tif 000006
【図５】
2008043570.tif 000007
【図６】
2008043570.tif 000008
【図７】
2008043570.tif 000009
【図８】
2008043570.tif 000010
【図９】
2008043570.tif 000011
【図１０】
2008043570.tif 000012
【図１１】
2008043570.tif 000013